(57)【特許請求の範囲】
【請求項１】
箱体を構成する第一の面の端縁に係止される第一係止部と、
上記箱体を構成する第二の面の端縁に係止される第二係止部と、
これら第一係止部と第二係止部とに連結され、これら第一係止部及び第二係止部の一方を他方に対して回動させる回動部と、
上記第一係止部及び第二係止部のうち、一方を他方に対して、上記回動部を回動中心として、ほぼ直交する位置に当該回動部を止めるとともに、ほぼ一直線上の位置にも当該回動部を止める、回動固定部と、
上記第一係止部及び第二係止部の一方の一部を他方の一部に当接させて、  この第一係止部及び第二係止部のうち、一方を他方に対して、上記回動部を回動中心として、上記ほぼ直交する角度未満に回動しないように当該回動部を規制する９０度規制部と、
上記第一係止部及び第二係止部の一方の一部を他方の一部に当接させて、  この第一係止部及び第二係止部のうち、一方を他方に対して、上記回動部を回動中心として、上記ほぼ一直線上に並ぶ角度を越えて回動しないように当該回動部を規制する１８０度規制部と、  を備え、
この９０度規制部とこの１８０度規制部とは、上記回動部の回動中心に対して、互いに反対方向に位置することを特徴とする箱補助具。
【請求項２】
箱体を構成する第一の面の端縁に係止される第一係止部と、
上記箱体を構成する第二の面の端縁に係止される第二係止部と、
これら第一係止部と第二係止部とに連結され、これら第一係止部及び第二係止部の一方を他方に対して回動させる回動部と、
上記第一係止部及び第二係止部のうち、一方を他方に対して、上記回動部を回動中心として、ほぼ直交する位置に当該回動部を止めるとともに、ほぼ一直線上の位置にも当該回動部を止める、回動固定部と、を備え、
上記回動固定部は、上記第一係止部及び第二係止部のうち、一方を他方に対して、上記回動部を中心として、ほぼ直交する位置とほぼ一直線上の位置との中間の位置にも当該回動部を止めることを特徴とする箱補助具。
【請求項３】
上記第一係止部は、上記箱体の第一の面の外面と内面とを挟持する第一挟持部と、当該第一の面の端縁に当接する第一当接部とを備え、
上記第二係止部は、上記箱体の第二の面の外面と内面とを挟持する第二挟持部と、当該第二の面の端縁に当接する第二当接部とを備えていることを特徴とする請求項１または２記載の箱補助具。
【請求項４】
上記箱体の第一の面と第二の面に接する上記第一係止部、第二係止部、回動部の面には、凹凸が無く、
上記回動部は上記箱体の第一の面及び第二の面と反対側に突出しており、
上記第一係止部と第二係止部とが、互いに直交する位置にあるとき、及びほぼ一直線上の位置にあるとき、上記第一挟持部、第一当接部、第二挟持部、第二当接部は、互いに当たらない位置に備えられていることを特徴とする請求項３記載の箱補助具。
【請求項５】
上記第一挟持部または第一当接部と回動部との間隔は、上記第二挟持部または第二当接部の第二係止部からの突出量より大きく、
上記第二挟持部または第二当接部と回動部との間隔は、上記第一挟持部または第一当接部の第一係止部からの突出量より大きいことを特徴とする請求項４記載の箱補助具。
【発明の詳細な説明】
【技術分野】
【０００１】
本発明は、箱補助具に関し、特にダンボール箱などの箱体を組み立てた状態または立体の状態で固定するまたは補強する等の補助をする器具に関する。
【背景技術】
【０００２】
近年、ダンボール箱等の箱体を組み立てた状態または立体の状態で固定するまたは補強する等の付属器具、取り付け器具、付加器具などの補助器具が種々考えられてきている。例えば以下のものである。
【０００３】
【特許文献１】特開２００１−２１９９３１号公報
【特許文献２】特開平１０−１９４２６７号公報
【特許文献３】特開平６−１０９１８号公報
【発明の開示】
【発明が解決しようとする課題】
【０００４】
本件発明の課題は、従来にない箱補助具を提供するもので、箱体の種々の個所を連結、固定または補強する等の補助をできるようにすることにある。
【課題を解決するための手段】
【０００５】
上記目的を達成するために、本発明の箱補助具は、  箱体を構成する第一の面の端縁に係止される第一係止部と、  上記箱体を構成する第二の面の端縁に係止される第二係止部と、  これら第一係止部と第二係止部とに連結され、これら第一係止部及び第二係止部の一方を他方に対して回動させる回動部とを備えた。
【発明の効果】
【０００６】
これにより、箱体の直交する第一の面及び第二の面だけでなく、直線上に並んだ第一の面及び第二の面など、直交する以外の第一の面及び第二の面を互いに連結、固定または補強できる。
【発明を実施するための最良の形態】
【０００７】
（１）箱補助具１の第一係止部２の構造
図１は箱補助具１の斜め上方から見た全体外観を示す。箱補助具１は、硬質の樹脂等からなり、第一係止部２と第二係止部１２と回動部４とからなっている。図１において第一係止部２の奥側を内側／内面と呼び、手前側を外側／外面と呼ぶ。
【０００８】
図３は箱補助具１の第一係止部２側の斜め下方から見た外観を示す。第一係止部２は、箱体Ｂの第一の面Ａ１の端縁Ｅ１に係止されるもので、ほぼ正方形状またはほぼ方形状の板状であり、この板部分は箱体Ｂの第一の面Ａ１の外面から当接する。このほぼ方形状のほぼ垂直の第一係止部２の上方から内方に第一当接部５がほぼ水平に延出されて、第一係止部２に対して直交する方向に延出されている。
【０００９】
この第一当接部５はほぼ長方形状であり、第一係止部２の面に沿って細長くなっている。この第一当接部５の先端は、ほぼ直角に下方へ折れ曲がって延出され、方形板状の第一挟持部６が形成されている。この第一挟持部６の下方の先端は、第一係止部２の内面に向かって徐々に接近しており、第一係止部２と第一挟持部６との間隔は下方に向かって徐々に小さくなっている。
【００１０】
さらに、第一挟持部６の先端は第一係止部２に対して間隔が広がったり狭まったりして、弾性的に広がったり復帰して狭まったりする。したがって、第一係止部２と第一挟持部６との間に、第一の面Ａ１の端縁Ｅ１が挟みこまれ、第一挟持部６と第一係止部２とで第一の面Ａ１の端縁Ｅ１の外面と内面とが挟持される。
【００１１】
ここで、第一係止部２と第一挟持部６との間隔は下方に向かって徐々に小さくなっているので、第一の面Ａ１の厚さが変化しても挟持され、種々の厚さの第一の面Ａ１を挟持できる。第一挟持部６の下縁先端は、第一係止部２からやや離れるように若干広がっており、第一の面Ａ１の内面に当たる面積が広くなり、第一の面Ａ１に対する挟持が向上する。
【００１２】
この第一挟持部６の上縁の上記第一当接部５の下面には、上記第一の面Ａ１の端縁Ｅ１が当接する。この第一当接部５の下面の幅、すなわち第一係止部２と第一挟持部６の上縁との間隔は、第一の面Ａ１の端縁Ｅ１の厚さより大きい。第一の面Ａ１の端縁Ｅ１の厚さが厚い場合には、第一当接部５の幅がより大きい第一係止部２または箱補助具１に交換される。
【００１３】
上記ほぼ方形板状の第一係止部２の上縁は上方へやや板状に延出され、第一ガイド部７が形成されている。この第一ガイド部７の内面及び外面は、上記第一係止部２の内面及び外面と同一面を形成している。この第一ガイド部７は、箱補助具１が取り付けられる箱体Ｂの上に積み重ねられる別の箱体Ｂが、下の箱体Ｂに対して外にはみ出さず、ずれず、箱体Ｂが安定的に積み重ねられる。
【００１４】
これら重ねられる箱体Ｂ…は、同形同大であるが、高さのみ異なっていてもよいし、幅または奥行きが、整数倍であってもよい。この第一係止部２と次述する第二係止部１２とは同形同大であるが、回動部４の回動軸を対象軸として線対称となっている。
【００１５】
（２）箱補助具１の第二係止部１２の構造
図２は箱補助具１の第二係止部１２側の斜め上方から見た外観を示す。第二係止部１２は、箱体Ｂの第二の面Ａ２の端縁Ｅ２に係止されるもので、ほぼ正方形状またはほぼ方形状の板状であり、この板部分は箱体Ｂの第二の面Ａ２の外面から当接する。このほぼ方形状のほぼ垂直の第二係止部１２の上方から内方に第二当接部１５がほぼ水平に延出されて、第二係止部１２に対して直交する方向に延出されている。
【００１６】
この第二当接部１５はほぼ長方形状であり、第二係止部１２の面に沿って細長くなっている。この第二当接部１５の先端は、ほぼ直角に下方へ折れ曲がって延出され、方形板状の第二挟持部１６が形成されている。この第二挟持部１６の下方の先端は、第二係止部１２の内面に向かって徐々に接近しており、第二係止部１２と第二挟持部１６との間隔は下方に向かって徐々に小さくなっている。
【００１７】
さらに、第二挟持部１６の先端は第二係止部１２に対して間隔が広がったり狭まったりして、弾性的に広がったり復帰して狭まったりする。したがって、第二係止部１２と第二挟持部１６との間に、第二の面Ａ２の端縁Ｅ２が挟みこまれ、第二挟持部１６と第二係止部１２とで第二の面Ａ２の端縁Ｅ２の外面と内面とが挟持される。
【００１８】
ここで、第二係止部１２と第二挟持部１との間隔は下方に向かって徐々に小さくなっているので、第二の面Ａ２の厚さが変化しても挟持され、種々の厚さの第二の面Ａ２を挟持できる。第二挟持部１６の下縁先端は、第二係止部１２からやや離れるように若干広がっており、第二の面Ａ２の内面に当たる面積が広くなり、第二の面Ａ２に対する挟持が向上する。
【００１９】
この第二挟持部１６の上縁の上記第二当接部１５の下面には、上記第二の面Ａ２の端縁Ｅ２が当接する。この第二当接部１５の下面の幅、すなわち第二係止部１２と第二挟持部１６の上縁との間隔は、第二の面Ａ２の端縁Ｅ２の厚さより大きい。第二の面Ａ２の端縁Ｅ２の厚さが厚い場合には、第二当接部１５の幅がより大きい第二係止部１２または箱補助具１に交換される。
【００２０】
上記ほぼ方形板状の第二係止部１２の上縁は上方へやや板状に延出され、第二ガイド部１７が形成されている。この第二ガイド部１７の内面及び外面は、上記第二係止部１２の内面及び外面と同二面を形成している。この第二ガイド部１７は、箱補助具１が取り付けられる箱体Ｂの上に積み重ねられる別の箱体Ｂが、下の箱体Ｂに対して外にはみ出さず、ずれず、箱体Ｂが安定的に積み重ねられる。
【００２１】
（３）箱補助具１の回動部４の構造
上記第一係止部２の回動部４側、つまり図１において右側の端縁の中央部には、縦に延びる中央蝶番円筒部２１が一体形成されている。一方、上記第二係止部１２の回動部４側、つまり図１において左側の端縁の上部と下部とには、縦に延びる上部蝶番円筒部２２、下部蝶番円筒部２３が一体形成されている。
【００２２】
上記中央蝶番円筒部２１は、上記上部蝶番円筒部２２、下部蝶番円筒部２３の間に入り込む高さ／長さとなっており、中央蝶番円筒部２１及び上部蝶番円筒部２２、下部蝶番円筒部２３の外径も内径も同じ大きさとなっている。そして、上部蝶番円筒部２２の内孔の上部と、下部蝶番円筒部２３の内孔の下部とは太くなっていて、内径がやや大きくなっている。
【００２３】
図４は回動部４付近の縦断面を示す。上記上部蝶番円筒部２２、中央蝶番円筒部２１、下部蝶番円筒部２３の内孔の内径は、リベット軸２４の太さより大きく、上部蝶番円筒部２２、中央蝶番円筒部２１、下部蝶番円筒部２３の内孔には、隙間を保ってリベット軸２４が貫通している。したがって、回動部４は、第一係止部２、第一当接部５、第一挟持部６及び第一ガイド部７と、第二係止部１２、第二当接部１５、第二挟持部１６及び第二ガイド部１７とに連結される。
【００２４】
さらに、第一係止部２、第一当接部５、第一挟持部６及び第一ガイド部７と、第二係止部１２、第二当接部１５、第二挟持部１６及び第二ガイド部１７とは、一方が他方に対して回動可能となっている。
【００２５】
上記リベット軸２４の上端の頭部は太くなっており、またリベット軸２４の下端も太くなっており、これら太くなった部分は、上部蝶番円筒部２２、中央蝶番円筒部２１、下部蝶番円筒部２３の内孔より太くなっていて、リベット軸２４は、上部蝶番円筒部２２、中央蝶番円筒部２１、下部蝶番円筒部２３の内孔から抜けないようになっている。
【００２６】
上記上部蝶番円筒部２２の内孔の太くなった上部と、下部蝶番円筒部２３の内孔の太くなった下部内に、上記太くなったリベット軸２４の上頭部と下先端とが入り込む。なお、太くなったリベット軸２４の上頭部は、上部蝶番円筒部２２の上に露出していても良いし、リベット軸２４の下先端は、下部蝶番円筒部２３の下に露出していてもよい。
【００２７】
上記リベット軸２４の下方の中央はスリット状に切欠されており、この切欠部２５の深さ／長さは、上記リベット軸２４の下端の太くなっている部分の高さ／長さの数倍であり、リベット軸２４の下先端を切欠部２５内に撓ませて、上部蝶番円筒部２２、中央蝶番円筒部２１、下部蝶番円筒部２３の内孔を挿通させることができるようになっている。
【００２８】
（４）１８０度ストッパ堤（１８０度規制部／回動固定部）３１、３２、３３
上記中央蝶番円筒部２１の第二係止部１２側、つまり図１において右側には縦に延びる中央１８０度ストッパ堤３１が一体形成されている。また、上部蝶番円筒部２２、下部蝶番円筒部２３の第一係止部２側、つまり図１において左側には縦に延びる上部１８０度ストッパ堤３２及び下部１８０度ストッパ堤３３が一体形成されている。
【００２９】
図５は第一係止部２等と第二係止部１２等とをほぼ１８０度の一直線上に開いて箱Ｂに取り付けた状態の平面を示す。上記第一係止部２、第一当接部５、第一挟持部６及び第一ガイド部７と、第二係止部１２、第二当接部１５、第二挟持部１６及び第二ガイド部１７とにつき、回動部４を回動中心として、一方を他方に対して開くように回動していくと、第一係止部２の中央１８０度ストッパ堤３１が第二係止部１２の外面に当接するとともに、第二係止部１２の上部１８０度ストッパ堤３２及び下部１８０度ストッパ堤３３が第一係止部２の外面に当接する。
【００３０】
これにより、第一係止部２、第一当接部５、第一挟持部６及び第一ガイド部７と、第二係止部１２、第二当接部１５、第二挟持部１６及び第二ガイド部１７とは、回動部４を回動中心として、ほぼ一直線上に並ぶ角度を越えてこれ以上回動されないように、回動部４の回動範囲が規制され、回動部４が止められる。
【００３１】
そして、ほぼ一直線上、すなわちほぼ１８０度に並んだ、第一の面Ａ１の端縁Ｅ１と第二の面Ａ２の端縁Ｅ２とに、上記の状態の箱補助具１を取り付けると、箱体Ｂの第一の面Ａ１と第二の面Ａ２とを上、記角度の状態で互いに連結、固定または補強できる。
【００３２】
（５）９０度ストッパ縁（９０度規制部／回動固定部）３６、３７、３８
上記第一係止部２の回動部４側の端縁、つまり図１において右側の端縁であって、上記中央蝶番円筒部２１の上と下との端縁は、上部９０度ストッパ縁３６、下部９０度ストッパ縁３７となっている。また、第二係止部１２の回動部４側の端縁、つまり図１において左側の端縁であって、上記上部蝶番円筒部２２及び下部蝶番円筒部２３のとの間の端縁は、中央９０度ストッパ縁３８となっている。
【００３３】
図６は第一係止部２等と第二係止部１２等とをほぼ９０度の直交状態に閉じて箱Ｂに取り付けた状態の平面を示す。また図７は第一係止部２等と第二係止部１２等とをほぼ９０度の直交状態に閉じて箱Ｂに取り付けた状態の平面であって、中央蝶番円筒部２１付近を破断した断面を示す。
【００３４】
上記第一係止部２、第一当接部５、第一挟持部６及び第一ガイド部７と、第二係止部１２、第二当接部１５、第二挟持部１６及び第二ガイド部１７とにつき、回動部４を回動中心として、一方を他方に対して閉じるように回動していくと、第一係止部２の上部９０度ストッパ縁３６及び下部９０度ストッパ縁３７が第二係止部１２の内面に当接するとともに、第二係止部１２の中央９０度ストッパ縁３８が第一係止部２の内面に当接する。
【００３５】
これにより、第一係止部２、第一当接部５、第一挟持部６及び第一ガイド部７と、第二係止部１２、第二当接部１５、第二挟持部１６及び第二ガイド部１７とは、回動部４を回動中心として、ほぼ直交する角度以下にこれ以上回動されないように、回動部４の回動範囲が規制され、回動部４が止められる。
【００３６】
そして、ほぼ直交した、すなわちほぼ９０度に交差する、第一の面Ａ１の端縁Ｅ１と第二の面Ａ２の端縁Ｅ２とに、上記の状態の箱補助具１を取り付けると、箱体Ｂの第一の面Ａ１と第二の面Ａ２とを、上記角度の状態で互いに連結、固定または補強できる。
【００３７】
上記上部９０度ストッパ縁３６及び下部９０度ストッパ縁３７と、上記中央１８０度ストッパ堤３１とは、上記回動部４の回動中心に対して、互いに反対方向に位置する。また、上記中央９０度ストッパ縁３８と、上部１８０度ストッパ堤３２及び下部１８０度ストッパ堤３３とは、上記回動部４の回動中心に対して、互いに反対方向に位置する。
【００３８】
これにより、９０度ストッパ縁（９０度規制部／回動固定部）３６、３７、３８と、１８０度ストッパ堤（１８０度規制部／回動固定部）３１、３２、３３とを、回動部４の片方／一部に集中させず、均等に配置できる。したがって、箱体Ｂの第一の面Ａ１と第二の面Ａ２とを、９０度と１８０度とで互いに連結、固定または補強する場合に、それぞれで安定できる。
【００３９】
（６）中間位置ストッパ突起４１、４２
図８は第一係止部２等と第二係止部１２等とをほぼ１３５度の状態で箱Ｂに取り付けた状態の一部破断の平面を示す。上記中央蝶番円筒部２１の上方の周面に沿って、上記中央１８０度ストッパ堤３１から、第一係止部２の内面に向かって、１つ以上、例えば２つの中間位置ストッパ突起４１、４２が突設されている。
【００４０】
中間位置ストッパ突起４１と回動部４の回動中心と結ぶ方向は、第一係止部２の内面に直交する方向に延びており、第一係止部２等と第二係止部１２等とが直交する位置に回動したとき、中間位置ストッパ突起４１は、第二係止部１２の外面にほぼ接する位置にある。これにより、第一係止部２等と第二係止部１２等とが直交する状態から開く方向に回動することが規制され、回動部４が止められる。
【００４１】
また、上記中間位置ストッパ突起４１と上記中央１８０度ストッパ堤３１との、ほぼ中間には、上記中間位置ストッパ突起４２が位置している。上記中間位置ストッパ突起４１と中間位置ストッパ突起４２との間に、中央９０度ストッパ縁３８またはその角が入り込むと、第一係止部２等と第二係止部１２等とのなす角度は、上記直交する位置とほぼ一直線上の位置との中間の位置である、ほぼ１３５度の位置に、回動部４の回動範囲が規制され、回動部４が止められる。
【００４２】
そして、ほぼ１３５度に交差する、第一の面Ａ１の端縁Ｅ１と第二の面Ａ２の端縁Ｅ２とに、上記の状態の箱補助具１を取り付けると、箱体Ｂの第一の面Ａ１と第二の面Ａ２とを、上記角度の状態で互いに連結、固定または補強できる。
【００４３】
第一係止部２等と第二係止部１２等とが、ほぼ一直線上に並ぶ位置に回動したとき、中間位置ストッパ突起４２は、第二係止部１２の内面または第二係止部１２の中央９０度ストッパ縁３８にほぼ接する位置にある。これにより、第一係止部２等と第二係止部１２等とが一直線上に位置する状態から閉じる方向に回動することが規制され、回動部４が止められる。
【００４４】
このような中間位置ストッパ突起４１、４２は、第二係止部１２の上部蝶番円筒部２２、２３の上部または下部の１８０度ストッパ堤３２、３３から、第二係止部１２の内面にかけて形成されてもよい。この場合、中間位置ストッパ突起４１、４２には、上記上部または下部の９０度ストッパ縁３６、３７またはその角が係合・係止していく。
【００４５】
（７）その他の構造
上記回動部４は第一係止部２及び第二係止部１２の外面側に突出し、上記第一係止部２、第二係止部１２、回動部４の内面には、凹凸が無く、第一の面Ａ１と第二の面Ａ２の外面に密着して当接し、箱補助具１が箱体Ｂの第一の面Ａ１と第二の面Ａ２にしっかりと係止される。
【００４６】
したがって、上記回動部４上記箱体の第一の面Ａ１及び第二の面Ａ２と反対側に突出しており、上記箱体Ｂの第一の面Ａ１と第二の面Ａ２に接する上記第一係止部２、第二係止部１２、回動部４の面には、凹凸が無く、箱補助具１の箱体Ｂへの取り付けにスペースを取らない。
【００４７】
また、箱体Ｂの第一の面Ａ１と第二の面Ａ２を互いにより強固に連結、固定または補強できる。さらに、第一係止部２等と第二係止部１２等とが互いに接近するように回動するときも、互いに離間するように回動するときも回動部４が邪魔にならない。
【００４８】
上記上部９０度ストッパ縁３６及び下部９０度ストッパ縁３７または回動部４と第一当接部５または第一挟持部６との間隔は、第二当接部１５または第二挟持部１６の第二係止部１２内面からの突出量より大きい。また、上記中央９０度ストッパ縁３８または回動部４と第二当接部１５または第二挟持部１６との間隔は、第一当接部５または第一挟持部６の第一係止部２内面からの突出量より大きい。
【００４９】
したがって、上記第一係止部２等と上記第二係止部１２等とを９０度に回動して直交する位置に配置したとき、第二当接部１５、第二挟持部１６及び第二係止部１２と、第一当接部５、第一挟持部６及び第一係止部２とは互いに当たらない位置に備えられている。これにより、第一係止部２等と第二係止部１２等とを支障なく円滑に９０度の直角に回動できる。
【００５０】
したがって、上記第一係止部２等と上記第二係止部１２等とを１８０度に回動して一直線上の位置に配置したとき、第二当接部１５、第二挟持部１６及び第二係止部１２と、第一当接部５、第一挟持部６及び第一係止部２とは互いに当たらない位置に備えられている。これにより、第一係止部２等と第二係止部１２等とを支障なく円滑に１８０度の一直線上に回動できる。
【００５１】
（８）他の実施の形態
本発明は、上記実施例に限定されず、種々変更可能である。例えば、箱体Ｂはダンボール製のほか、樹脂製、木製、集成材製、合成材製、合板製、表面に化粧紙が接着されたもの、竹製、金属製、ガラス製、綿製、布製、糸製、繊維製、ゴム製、紙製、セラミック製、カーボン製、硬質ウレタン製、これらの合成物製／混合物製／多層積層物製でもよい。
【００５２】
上記箱体Ｂの第一の面Ａ１と第二の面Ａ２とは互いにつながっていても良いし、切断分離されていても良いし、一部つながっていてもよいし、一部切断分離されていても良いし、折れ曲がっていても良いし、真直ぐに並んでいてもよい。
【００５３】
上記中間位置ストッパ突起４１、４２の数はもっと多くてももっと少なくてもよく、中間位置ストッパ突起４１、４２の配置角度位置は、１３５度以外でもよい。これにより、第一係止部２等と第二係止部１２等とを、ほぼ直交する位置とほぼ一直線上の位置との中間の任意の位置に当該回動部４を止めて、箱体Ｂの第一の面Ａ１と第二の面Ａ２とを、この任意の角度の状態で互いに連結、固定または補強できる。
【００５４】
第一係止部２等と第二係止部１２等とのなす角度は、ほぼ直交するほぼ９０度より小さい、ほぼ６０度、ほぼ４５度、ほぼ３０度、…、などでもよいし、ほぼ一直線上のほぼ１８０度より大きい、ほぼ２１０度、２２５度、２４０度、…、等でもよい。これに応じて、箱体Ｂの第一の面Ａ１と第二の面Ａ２とのなす角度も、これらの角度となる。
【００５５】
上記図５において、２つの箱Ｂが横に並べられて接触している状態において、この２つの箱Ｂの両角のほぼ一直線にのびる２つの面Ａ１、Ａ２に箱補助具１は取り付けられている。しかし、箱補助具１は、１つの箱Ｂの２つの分離分割された２つの面Ａ１、Ａ２に取り付けられてもよいし、１つの箱Ｂの分離分割されていない１つの面Ａ１またはＡ２に取り付けられてもよい。
【００５６】
リベット軸２４は省略され、中央蝶番円筒部２１の上面と下面から突出した突起軸が設けられ、この突起軸が上部蝶番円筒部２２の下からと、下部蝶番円筒部２３の上から挿入されて、回動可能とされてもよく、回動部４は、第一係止部２等と第二係止部１２とを回動できればどのような機構でもよい。この場合、この２つの突起軸はバネ圧で出没自在とされてもよい。
【００５７】
上記第一係止部２等と第二係止部１２等との上記角度における固定は、上述の中間位置ストッパ突起４１、４２、１８０度ストッパ堤（１８０度規制部／回動固定部）３１、３２、３３、９０度ストッパ縁（９０度規制部／回動固定部）３６、３７、３８のほか、回動部４、上部蝶番円筒部２２、中央蝶番円筒部２１、下部蝶番円筒部２３に設けられた以下の機構でもよい。
【００５８】
例えば、第一係止部２等と第二係止部１２等のうち、中央蝶番円筒部２１の上面及び下面、上部蝶番円筒部２２の下面、下部蝶番円筒部２３の上面に形成された、それぞれが噛み合うクラウン型のつめ歯車、一方に設けられたつめと他方に設けられたつめ歯車の機構、一方に設けられたピンと他方に設けられたピン車などのゼネバストップ機構、一方に設けられたパレレットと他方に設けられたエスケープ車などのエスケープ機構、一方に設けられたバネ圧で出没するピンと他方に設けられたこのピンが間欠的に係合する複数の穴の機構などであり、間欠的に角度を変えられるものなら何でもよい。
【００５９】
中央１８０度ストッパ堤３１、上部１８０度ストッパ堤３２、下部１８０度ストッパ堤３３のうち１つまたは２つが省略されてもよい。この場合でも、第一係止部２等と、第二係止部１２等とは、ほぼ一直線上に並ぶ角度を越えてこれ以上回動されないように、回動部４の回動範囲が規制され、回動部４が止められる。
【００６０】
上記上部９０度ストッパ縁３６、下部９０度ストッパ縁３７、中央９０度ストッパ縁３８のうち１つまたは２つが省略されてもよい。この場合でも、第一係止部２等と、第二係止部１２等とは、ほぼ直交する角度以下にこれ以上回動されないように、回動部４の回動範囲が規制され、回動部４が止められる。
【００６１】
この場合において、上部９０度ストッパ縁３６、下部９０度ストッパ縁３７、中央９０度ストッパ縁３８と、中央蝶番円筒部２１、上部蝶番円筒部２２、下部蝶番円筒部２３との間の一部または全部に大きな隙間があって、上部９０度ストッパ縁３６、下部９０度ストッパ縁３７、中央９０度ストッパ縁３８が、第一係止部２の外面、第二係止部１２の外面に当接しなくてもよい。
【００６２】
また、中間位置ストッパ突起４１、４２、中央１８０度ストッパ堤３１、上部１８０度ストッパ堤３２、下部１８０度ストッパ堤３３、上部９０度ストッパ縁３６、下部９０度ストッパ縁３７、中央９０度ストッパ縁３８の一部または全部が省略されてもよい。
【００６３】
上記第一係止部２及び第二係止部１２は、箱体Ｂの第一の面Ａ１及び第二の面Ａ２の内面側に取り付けられ、第一当接部５、第一挟持部６、第二当接部１５及び第二挟持部１６は、箱体Ｂの第一の面Ａ１及び第二の面Ａ２の外面側に取り付けられてもよい。この場合、第一当接部５、第一挟持部６、第二当接部１５及び第二挟持部１６は、第一係止部２及び第二係止部１２の内面側ではなく外面側に設けられる。
【００６４】
また、第一ガイド部７及び第二ガイド部１７は、第一挟持部６及び第二挟持部１６の上に延出される。さらに、中央蝶番円筒部２１、上部蝶番円筒部２２、下部蝶番円筒部２３、中央１８０度ストッパ堤３１、上部１８０度ストッパ堤３２、下部１８０度ストッパ堤３３、回動部４は、第一係止部２及び第二係止部１２の外面側ではなく内面側に設けられて、この内面側に突出してもよい。
【００６５】
この場合、上記第一係止部２、第二係止部１２、回動部４の外面には、凹凸が無く、第一の面Ａ１と第二の面Ａ２の内面に密着して当接し、箱補助具１が箱体Ｂの第一の面Ａ１と第二の面Ａ２にしっかりと係止される。
【００６６】
この場合でも、上記回動部４は上記箱体の第一の面Ａ１及び第二の面Ａ２と反対側に突出しており、上記箱体Ｂの第一の面Ａ１と第二の面Ａ２に接する上記第一係止部２、第二係止部１２、回動部４の面には、凹凸が無く、箱補助具１の箱体Ｂへの取り付けにスペースを取らない。
【００６７】
また、箱体Ｂの第一の面Ａ１と第二の面Ａ２を互いにより強固に連結、固定または補強できる。さらに、第一係止部２等と第二係止部１２等とが互いに接近するように回動するときも、互いに離間するように回動するときも回動部４が邪魔にならない。
【００６８】
上記第一係止部２または／及び第二係止部１２の厚さは任意であり、リベット軸２４、中央蝶番円筒部２１、上部蝶番円筒部２２、下部蝶番円筒部２３より厚くても、同じ厚さでも良い。同じ厚さであれば、回動部４が、第一係止部２等と第二係止部１２等との外面からも内面からも突出せず、第一係止部２等と第二係止部１２等との内面に箱体Ｂの第一の面Ａ１と第二の面Ａ２が当接しても、外面に箱体Ｂの第一の面Ａ１と第二の面Ａ２が当接しても、密着して当接し、箱補助具１が箱体Ｂの第一の面Ａ１と第二の面Ａ２にしっかりと係止される。
【００６９】
上記上部９０度ストッパ縁３６、下部９０度ストッパ縁３７、中央９０度ストッパ縁３８（９０度規制部／回動固定部）の代わりに、これらの縁３６、３７、３８付近に設けられた堤、突起または段差部等でもよく、第一係止部２等と第二係止部１２等とを９０度に閉じた状態で固定／規制／ストップできれば何でもよい。
【００７０】
この場合、第一係止部２等と第二係止部１２等とが９０度の直交する位置に回動されたとき、第一係止部２側の堤、突起または段差部等は、第二係止部１２の内面に当接するか、または第二係止部１２側の堤、突起または段差部等は、第一係止部２の内面に当接する。
【００７１】
上記中央１８０度ストッパ堤３１、上部１８０度ストッパ堤３２、下部１８０度ストッパ堤３３（１８０度規制部／回動固定部）の代わりに、第一係止部２等の外面から突出して、第二係止部１２の外面に達する半円環状のストッパ、第二係止部１２等の外面から突出して、第一係止部２の外面に達する半円環状のストッパでもよく、第一係止部２等と第二係止部１２等とを１８０度に開いた状態で固定／規制／ストップできれば何でもよい。
【００７２】
この半円環状のストッパは、回動部４の回動中心に対して１８０度の円周角を有しており、第一係止部２等と第二係止部１２等とが１８０度の一直線上の位置に回動されたとき、第一係止部２側の半円環状のストッパ等は、第二係止部１２の外面に当接するか、または第二係止部１２側の半円環状のストッパ等は、第一係止部２の外面に当接する。ストッパの形状は半円環状以外に、山型、台形型などどのような形状でもよい。
【００７３】
上記第一係止部２、第一当接部５、第一挟持部６及び第一ガイド部７と、第二係止部１２、第二当接部１５、第二挟持部１６及び第二ガイド部１７とは、線対称で、同形同大であったが、異なる形、異なる大きさでも良いし、線対称でなくてもよい。
【００７４】
第一係止部２、第一当接部５、第一挟持部６及び第一ガイド部７と、第二係止部１２、第二当接部１５、第二挟持部１６及び第二ガイド部１７とには、さらに別の第三係止部、第三当接部、第三挟持部、第三ガイド部７が連結され、この連結が３つ以上、４つ以上、５つ以上、…、継続されてもよい。
【００７５】
上記第一係止部２、第二係止部１２、第一挟持部６、第二挟持部１６、第一当接部５、第二当接部１５は、平板状のほか、湾曲した板状、曲面板状、球面板状、洗濯挟み状、熊手状、クリップ状、フック状、網状、半円柱状、棒状、線状、櫛状、球状、多面体状、段差状、波状、これらの形状を複数組み合わせた形状等どのような形状でもよく、第一の面Ａ１の端縁Ｅ１及び第二の面Ａ２の端縁Ｅ２に固定または補強できればどのような形状でもよい。
【００７６】
この場合、第一挟持部６と第一当接部５とのいずれか一方、第二当接部１５と第二挟持部１６とのいずれか一方が省略されてもよいし、第一係止部２、第一当接部５、第一挟持部６及び第一ガイド部７のいずれか２つ以上が兼用されて残りが省略されてもよいし、同じく第二係止部１２、第二当接部１５、第二挟持部１６及び第二ガイド部１７のいずれか２つ以上が兼用されて残りが省略されてもよい。いずれにせよ、箱体Ｂの第一の面Ａ１と第二の面Ａ２に、箱補助具１、第一係止部２等、第二係止部１２等を係止できればどのような形態でもよい。
【００７７】
第一係止部２と第一挟持部６との間隔、第二係止部１２と第二挟持部１６との間隔は下方に向かって徐々に小さくならず、平行でも良いし、下方に向かって徐々に大きくなっていてもよい。第一挟持部６及び第二挟持部１６は、第一係止部２及び第二係止部１２に対して弾性的に広がったり狭まったりしなくても良く、弾性がなく剛体でもよいし、可撓性のあるものでもよいし、塑性変形するものでもよい。
【００７８】
上記第一係止部２、第一当接部５、第一挟持部６、第一ガイド部７、第二係止部１２、第二当接部１５、第二挟持部１６、第二ガイド部１７の厚さは同じであったがそれぞれが異なっていても良いし、それぞれが先端に向かって徐々に細くなっても太くなってもよい。
【００７９】
第一当接部５及び第二当接部１５は、第一係止部２及び第二係止部１２に対して直角に折れ曲がらず、鋭角または鈍角に折れ曲がってもよいし、延出方向も傾いていてもよいし、湾曲して折れ曲がっていてもよいし、同じく第一挟持部６及び第二挟持部１６は、第一当接部５及び第二当接部１５に対して直角に折れ曲がらず、鋭角または鈍角に折れ曲がってもよいし、延出方向も傾いていてもよいし、湾曲して折れ曲がっていてもよい。
【００８０】
上記第一係止部２、回動部４、第一当接部５、第一挟持部６、第一ガイド部７、第二係止部１２、第一当接部１５、第一挟持部１６、第二ガイド部１７、中央蝶番円筒部２１、上部蝶番円筒部２２、下部蝶番円筒部２３、リベット軸２４、切欠部２５、中央１８０度ストッパ堤（１８０度規制部／回動固定部）３１、上部１８０度ストッパ堤（１８０度規制部／回動固定部）３２、下部１８０度ストッパ堤（１８０度規制部／回動固定部）３３、上部９０度ストッパ縁（９０度規制部／回動固定部）３６、下部９０度ストッパ縁（９０度規制部／回動固定部）３７、中央９０度ストッパ縁（９０度規制部／回動固定部）３８、中間位置ストッパ突起４１、４２、第一の面Ａ１、端縁Ｅ１、第二の面Ａ２、端縁Ｅ２、箱体Ｂ、箱補助具１の一部または全体は省略されてもよいし、分割分離されてその数が増えても減ってもよいし、その形状は任意に変更可能であり、均等の他の物に置き換えられてもよいし、これらの２つまたは３つ以上が合体または一体化されて兼用されてもよいし、これらの材質は硬質樹脂製のほか、軟質樹脂製、木製、集成材製、合成材製、合板製、表面に化粧紙が接着されたもの、竹製、樹脂製、金属製、ガラス製、綿製、布製、糸製、繊維製、ゴム製、紙製、セラミック製、カーボン製、硬質ウレタン製、これらの合成物製／混合物製／多層積層物製でもよい。
【００８１】
（９）他の発明の効果
［１］箱体を構成する第一の面の端縁に係止される第一係止部と、  上記箱体を構成する第二の面の端縁に係止される第二係止部と、  これら第一係止部と第二係止部とに連結され、これら第一係止部及び第二係止部の一方を他方に対して回動させる回動部とを備えたことを特徴とする箱補助具。
【００８２】
［２］第一係止部及び第二係止部のうち、一方を他方に対して、上記回動部を回動中心として、ほぼ直交する位置に当該回動部を止めるとともに、ほぼ一直線上の位置にも当該回動部を止める、回動固定部とを備えたことを特徴とする請求項１記載の箱補助具。
【００８３】
これにより、回動部が不用意に回動せず、箱体の第一の面と第二の面を互いに強固に連結、固定または補強できるし、互いに直交する第一の面と第二の面でも、一直線上に並んだ第一の面と第二の面でも、互いに連結、固定または補強できる。
【００８４】
［３］上記回動固定部は、第一係止部及び第二係止部のうち、一方を他方に対して、上記回動部を回動中心として、  上記ほぼ直交する角度以下に回動しないように当該回動部を規制する９０度規制部と、  上記ほぼ一直線上に並ぶ角度を越えて回動しないように当該回動部を規制する１８０度規制部とを備えたことを特徴とする請求項２記載の箱補助具。
【００８５】
これにより、回動部が不用意に回動せず、箱体の第一の面と第二の面を互いに強固に連結、固定または補強できるし、９０度に交わる第一の面と第二の面でも、１８０度に並んだ第一の面と第二の面でも、互いに連結、固定または補強できる。
【００８６】
［４］上記９０度規制部は、第一係止部及び第二係止部の一方の一部を他方の一部に当接させて、ほぼ直交する角度以下に回動しないように当該回動部を規制する９０度ストッパ部であり、  上記１８０度規制部は、第一係止部及び第二係止部の一方の一部を他方の一部に当接させて、ほぼ一直線上に並ぶ角度を越えて回動しないように当該回動部を規制する１８０度ストッパ部であり、  この９０度ストッパ部とこの１８０度ストッパ部とは、上記回動部の回動中心に対して、互いに反対方向に位置することを特徴とする請求項３記載の箱補助具。
【００８７】
これにより、９０度規制部と１８０度規制部とが、回動部の片方／一部に集中せず、均等に配置される。したがって、箱体の第一の面と第二の面とが、９０度と１８０度とで互いに連結、固定または補強する場合に、それぞれで安定される。また、回動部が不用意に回動せず、箱体の第一の面と第二の面を互いに強固に連結、固定または補強できるし、９０度に交わる第一の面と第二の面でも、１８０度に並んだ第一の面と第二の面でも、互いに連結、固定または補強できる。
【００８８】
［５］上記回動固定部は、上記第一係止部及び第二係止部のうち、一方を他方に対して、上記回動部を中心として、ほぼ直交する位置とほぼ一直線上の位置との中間の位置にも当該回動部を止めることを特徴とする請求項２記載の箱補助具。
【００８９】
これにより、箱体の第一の面と第二の面とが、９０度、１８０度以外の任意の角度で配置される箱体でも、第一の面と第二の面とが、互いに連結、固定または補強される。
【００９０】
［６］上記第一係止部は、上記箱体の第一の面の外面と内面とを挟持する第一挟持部と、当該第一の面の端縁に当接する第一当接部とを備え、  上記第二係止部は、上記箱体の第二の面の外面と内面とを挟持する第二挟持部と、当該第二の面の端縁に当接する第二当接部とを備えていることを特徴とする請求項４または５記載の箱補助具。
【００９１】
これにより、箱体の第一の面と第二の面とに、挟持と当接とで、箱補助具がしっかりと取り付けられ、第一の面と第二の面とが、互いに連結、固定または補強される。
【００９２】
［７］上記箱体の第一の面と第二の面に接する上記第一係止部、第二係止部、回動部の面には、凹凸が無く、  上記回動部は上記箱体の第一の面及び第二の面と反対側に突出しており、  上記第一係止部と第二係止部とが、互いに直交する位置にあるとき、及びほぼ一直線上の位置にあるとき、上記第一挟持部、第一当接部、第二挟持部、第二当接部は、互いに当たらない位置に備えられていることを特徴とする請求項６記載の箱補助具。
【００９３】
これにより、上記箱体の第一の面と第二の面に接する上記第一係止部、第二係止部、回動部の面には、凹凸が無く、箱補助具の箱体への取り付けにスペースを取らない。また、箱体の第一の面と第二の面を互いにより強固に連結、固定または補強できる。さらに、第一係止部等と第二係止部等とが互いに接近するように回動するときも、互いに離間するように回動するときも回動部が邪魔にならない。また、第一係止部と第二係止部とを支障なく円滑に直交位置または一直線上に回動できる。
【００９４】
［８］上記第一挟持部または第一当接部と回動部との間隔は、上記第二挟持部または第二当接部の第二係止部からの突出量より大きく、  上記第二挟持部または第二当接部と回動部との間隔は、上記第一挟持部または第一当接部の第一係止部からの突出量より大きいことを特徴とする請求項７記載の箱補助具。
【００９５】
これにより、直交位置に回動したときも一直線上に回動したときも、第二当接部、第二挟持部及び第二係止部と、第一当接部、第一挟持部及び第一係止部とは互いに当たらず、第一係止部と第二係止部とを支障なく円滑に直交位置または一直線上に回動できる。また、図５に示すように、箱Ｂの３つの面が「Ｔ字型」などに配列されている個所にも箱補助具１を装着できる。
【産業上の利用可能性】
【００９６】
箱体の直交する第一の面及び第二の面だけでなく、直線上に並んだ第一の面及び第二の面など、直交する以外の第一の面及び第二の面を互いに連結、固定または補強する。第一係止部２の内面と第一挟持部６と第一当接部５とに、箱体Ｂの第一の面Ａ１が挟持・係止され、第二係止部１２の内面と第二挟持部１６と第二当接部１５とに、箱体Ｂの第二の面Ａ２が挟持・係止される。
【００９７】
回動部４を中心として、第一係止部２と第二係止部１２とを回動させれば、上記第一の面Ａ１と第二の面Ａ２とがどのような角度であっても、両面Ａ１、Ａ２を連結、固定または補強できる。上部９０度ストッパ縁３６、下部９０度ストッパ縁３７、中央９０度ストッパ縁３８が、第一係止部２内面、第二係止部１２内面に当接して、第一係止部２等と第二係止部１２等とが直交状態で固定される。
【００９８】
中央１８０度ストッパ堤３１、上部１８０度ストッパ堤３２、下部１８０度ストッパ堤３３が、第一係止部２外面、第二係止部１２外面に当接して、第一係止部２等と第二係止部１２等とが一直線上で固定される。中央蝶番円筒部２１の周面の中間位置ストッパ突起４１、４２に、中央９０度ストッパ縁３８が当たって係合すると、第一係止部２等と第二係止部１２等とが直交状態と一直線上との中間状態で固定される。
【図面の簡単な説明】
【００９９】
【図１】箱補助具１の斜め上方から見た全体外観を示す。
【図２】箱補助具１の第二係止部１２側の斜め上方から見た外観を示す。
【図３】箱補助具１の第一係止部２側の斜め下方から見た外観を示す。
【図４】回動部４付近の縦断面を示す。
【図５】第一係止部２等と第二係止部１２等とをほぼ１８０度の一直線上に開いて箱Ｂに取り付けた状態の平面を示す。
【図６】第一係止部２等と第二係止部１２等とをほぼ９０度の直交状態に閉じて箱Ｂに取り付けた状態の平面を示す。
【図７】第一係止部２等と第二係止部１２等とをほぼ９０度の直交状態に閉じて箱Ｂに取り付けた状態の平面であって、中央蝶番円筒部２１付近を破断した断面を示す。
【図８】第一係止部２等と第二係止部１２等とをほぼ１３５度の状態で箱Ｂに取り付けた状態の一部破断の平面を示す。
【符号の説明】
【０１００】
１…箱補助具、２…第一係止部、
４…回動部、５…第一当接部、
６…第一挟持部、７…第一ガイド部、
１２…第二係止部、１５…第一当接部、
１６…第一挟持部、１７…第二ガイド部、
２１…中央蝶番円筒部、２２…上部蝶番円筒部、
２３…下部蝶番円筒部、２４…リベット軸、
２５…切欠部、
３１…中央１８０度ストッパ堤（１８０度規制部／回動固定部）、
３２…上部１８０度ストッパ堤（１８０度規制部／回動固定部）、
３３…下部１８０度ストッパ堤（１８０度規制部／回動固定部）、
３６…上部９０度ストッパ縁（９０度規制部／回動固定部）、
３７…下部９０度ストッパ縁（９０度規制部／回動固定部）、
３８…中央９０度ストッパ縁（９０度規制部／回動固定部）、
４１、４２…中間位置ストッパ突起、
Ａ１…第一の面、Ｅ１…端縁、
Ａ２…第二の面、Ｅ２…端縁、
Ｂ…箱体。
【図１】
0005800524.tif 000002
【図２】
0005800524.tif 000003
【図３】
0005800524.tif 000004
【図４】
0005800524.tif 000005
【図５】
0005800524.tif 000006
【図６】
0005800524.tif 000007
【図７】
0005800524.tif 000008
【図８】
0005800524.tif 000009